(57)【要約】【課題】ユーザが好むスポーツ、映画またはショーの所望の動画または静止画を提供する。【解決手段】画像提供システム１０は撮影部１１と、ユーザＰが反応情報を入力する入力部３０と、サーバ２０とを備えている。サーバ２０の画像生成部２４は撮影部１１で得られた動画から、入力部３０からの反応情報に基づいて、ユーザＰが好む動画または静止画の生成画像を生成する。【選択図】図１
2020035406.tif 000002
【特許請求の範囲】
【請求項１】
ユーザに対してスポーツ、映画またはショーの動画または静止画を提供する画像提供システムにおいて、
スポーツ、映画またはショーを撮影して動画を得る撮影部と、
スポーツ、映画またはショーに対する反応情報が入力される入力部と、
前記撮影部と、前記入力部とに接続されたサーバとを備え、
前記サーバは、外部との送受信を行う送受信部と、画像データを記憶する記憶部と、前記記憶部内の前記撮影部で得られた動画から前記入力部から入力される反応情報に基づいて、ユーザの好みの動画または静止画の生成画像を作製する画像生成部とを備えた画像提供システム。
【請求項２】
前記入力部からは時間帯とユーザのＩＤ情報を含む反応情報が入力されて前記記憶部に記憶され、前記画像生成部は、前記記憶部に記載された時間帯とユーザのＩＤ情報を含む反応情報に基づいて、ＩＤ情報と関連付けられた生成画像を作製する、請求項１記載の画像提供システム。
【請求項３】
前記画像生成部で作製された生成画像は、ユーザが前記サーバに対してユーザのＩＤ情報を含む注文情報を送った際、前記サーバの画像提供部から提供される、請求項２記載の画像提供システム。
【請求項４】
前記画像生成部で作製された生成画像は、前記サーバの画像提供部を介して前記入力部へ送られる、請求項２記載の画像提供システム。
【請求項５】
前記入力部は前記ユーザが押圧する押圧ボタン、前記ユーザの身体的反応が入力されるセンサ、または観客の音声が入力される音声入力部を含む、請求項１乃至４のいずれか記載の画像提供システム。
【請求項６】
前記入力部は前記サーバから送られる前記撮影部で撮影された動画を表示する表示領域と、反応情報が入力可能な入力領域とを有する端末機器からなる請求項１乃至４のいずれか記載の画像提供システム。
【発明の詳細な説明】
【技術分野】
【０００１】
本開示の実施の形態は、スポーツ、映画またはショーの動画からユーザが好む所望の動画または静止画の生成画像を提供する画像提供システムに関する。
【背景技術】
【０００２】
従来よりスポーツ、映画またはショーの動画から、主催者側が動画または静止画の生成画像を切り出して作製し、この作製された動画または静止画の生成画像をユーザに提供している。
【０００３】
このような場合、主催者側が作製する動画または静止画が必ずしもユーザの要求に合ったものでないことがある。
【先行技術文献】
【特許文献】
【０００４】
【特許文献１】特開２０１０−６１５８９号公報
【発明の概要】
【発明が解決しようとする課題】
【０００５】
本開示の実施の形態はこのような点を考慮してなされたものであり、ユーザが好む所望の動画または静止画の生成画像を提供することができる画像提供システムを提供することを目的とする。
【課題を解決するための手段】
【０００６】
本開示の実施の形態は、ユーザに対してスポーツ、映画またはショーの動画または静止画を提供する画像提供システムにおいて、スポーツ、映画またはショーを撮影して動画を得る撮影部と、スポーツ、映画またはショーに対する反応情報が入力される入力部と、前記撮影部と、前記入力部とに接続されたサーバとを備え、前記サーバは、外部との送受信を行う送受信部と、画像データを記憶する記憶部と、前記記憶部内の前記撮影部で得られた動画から前記入力部から入力される反応情報に基づいて、ユーザの好みの動画または静止画の生成画像を作製する画像生成部とを備えた画像提供システムである。
【０００７】
本開示の実施の形態は、前記入力部からは時間帯とユーザのＩＤ情報を含む反応情報が入力されて前記記憶部に記憶され、前記画像生成部は、前記記憶部に記載された時間帯とユーザのＩＤ情報を含む反応情報に基づいて、ＩＤ情報と関連付けられた生成画像を作製する、画像提供システムである。
【０００８】
本開示の実施の形態は、前記画像生成部で作製された生成画像は、ユーザが前記サーバに対してユーザのＩＤ情報を含む注文情報を送った際、前記サーバの画像提供部から提供される、画像提供システムである。
【０００９】
本開示の実施の形態は、前記画像生成部で作製された生成画像は、前記サーバの画像提供部を介して前記入力部へ送られる、画像提供システムである。
【００１０】
本開示の実施の形態は、前記入力部は前記ユーザが押圧する押圧ボタン、前記ユーザの身体的反応が入力されるセンサ、または観客の音声が入力される音声入力部を含む、画像提供システムである。
【００１１】
本開示の実施の形態は、前記入力部は前記サーバから送られる前記撮影部で撮影された動画を表示する表示領域と、反応情報が入力可能な入力領域とを有する端末機器からなる画像提供システムである。
【発明の効果】
【００１２】
本開示の実施の形態によれば、ユーザが好む所望の動画または静止画の生成画像を確実に提供することができる。
【図面の簡単な説明】
【００１３】
【図１】図１は本実施の形態に係る画像提供システムの全体を概略図である。
【図２】図２は本実施の形態に係る画像提供システムの入力部の一例を示す図である。
【図３】図３は本実施の形態に係る画像提供システムの入力部の他の例を示す図である。
【図４Ａ】図４Ａは本実施の形態に係る画像提供システムの入力部の他の例を示す図である。
【図４Ｂ】図４Ｂは本実施の形態に係る画像提供システムの入力部の他の例を示す図である。
【図５】図５は本実施の形態に係る撮影システムのブロック構成図である。
【図６】図６は本実施の形態に係る画像提供システムの作用を説明するフローチャートである。
【図７】図７は会場内に設置されたプリンタを示す図である。
【図８】図８は端末機器から注文情報を入力する状態を示す図である。
【発明を実施するための形態】
【００１４】
以下、本実施の形態による画像提供システムを図面に基づいて説明する。
【００１５】
本実施の形態による画像提供システムは、ユーザＰに対し、スポーツ、映画またはショーの動画を切り出してユーザＰの好みに応じて所望の動画または静止画の生成画像を提供するものである。
【００１６】
このような画像提供システム１０は、図１乃至図８に示すように、例えば会場５で開催される歌謡ショーの動画を切り出してユーザＰの好みに応じて所望の動画または静止画の生成画像を提供するものである。図１に示す歌謡ショーでは、ステージ２上で歌手４が歌い、これを多数の観客（ユーザともなる）Ｐが観ている。また何人かのユーザＰは、後述するペンライト３２をかざしていてもよい。
【００１７】
画像提供システム１０は、図１および図５に示すように、会場５の歌謡ショーを撮影するカメラ等の撮影部１１と、歌謡ショーに対するユーザＰの反応情報が入力される入力部３０と、撮影部１１と入力部３０とに接続されたサーバ２０とを備えている。
【００１８】
このうち入力部３０は歌謡ショーを観ているユーザＰが、自分が好ましい（盛り上がった）と思える場面の時間帯をサーバ２０に対して入力するものである。このような入力部３０としては、例えば会場５に設置された指定座席３１に設けられたリモコン３１ａが挙げられ、このリモコン３１ａは押圧ボタン３１ｂを含む（図２参照）。歌謡ショーを観ているユーザＰは自分が好ましいと思った場面にきたとき、リモコン３１ａの押圧ボタン３１ｂを押す。
【００１９】
この場合、ユーザＰが好ましいと思った時間帯と指定座席３１のＩＤ情報を含む反応情報がリモコン３１ａからサーバ２０側へ送られる。
【００２０】
あるいは、入力部３０としては、ユーザＰが手に持つとともに押圧ボタン３２ａと電源３２ｂとを含むペンライト３２が挙げられる（図３参照）。
【００２１】
ユーザＰは自分が好ましいと思った場面にきたとき、ペンライト３２の押圧ボタン３２ａを押す。この場合、ユーザＰが好ましいと思った時間帯とペンライト３２のＩＤ情報を含む反応情報がペンライト３２からサーバ２０側へ送られる。
【００２２】
あるいは、入力部３０としては、ユーザＰの手に装着されたスマートバンド３３が挙げられる（図４Ａ参照）。スマートバンド３３はユーザＰの心拍数または脈拍を検出しており、ユーザＰが自分が好ましいと思った場合にきたとき、心拍数または脈拍が上昇する。スマートバンド３３はこの心拍数または脈拍の上昇を検出し、その時の時間帯とスマートバンド３３のＩＤ情報を含む反応情報がスマートバンド３３からサーバ２０側へ送られる。あるいはスマートバンド３３が音声入力機能をもち、観客の歓声が大きくなる時間帯とスマートバンド３３のＩＤ情報をサーバ２０へ送ることもできる。
【００２３】
あるいは、入力部３０としては、タブレットまたはスマートホン等の端末機器１５が挙げられる（図４Ｂ参照）。この端末機器１５は、サーバ２０に接続可能となっている。そして端末機器１５はサーバ２０から送られる撮影部１１で撮影された動画を表示する表示領域１５ａと、ユーザＰが反応情報を入力する入力領域１５ｂとを有する。
【００２４】
ユーザＰは歌謡ショーを観るとともに、タブレット等からなる端末機器１５の表示領域１５ａも同時にみることができる。ユーザＰは自分が好ましいと思った場面にきたとき、端末機器１５の入力領域１５ｂを操作する。この際、端末機器１５から、ユーザＰが好ましいと思った時間帯と端末機器１５のＩＤ情報を含む反応情報がサーバ２０側へ送られる。
【００２５】
次に撮影部１１について説明する。上述のように撮影部１１は会場５内に設置され、ステージ２上で歌手４が歌う歌謡ショーの動画を撮影するものである。撮影部１１で撮影された動画は、サーバ２０へ送られるようになっている。
【００２６】
またサーバ２０には、後述のように、サーバ２０の画像生成部２４で作製された静止画の生成画像から写真等のプリント物を作製するプリンタ１３が接続されている。
【００２７】
次にサーバ２０について更に説明する。  
上述のように、サーバ２０には入力部３０と、撮影部１１と、プリンタ１３が接続されている。このようなサーバ２０は、図５に示すように、外部との送受信を行う送受信部２１と、静止画および動画を含む画像データを記憶する記憶部２２と、撮影部１１により撮影され、記憶部２２に記憶された画像データ中の動画から、入力部３０から入力される反応情報に基づいてユーザＰの好みの動画または静止画の生成画像を作製する画像生成部２４とを有する。さらに、画像生成部２４には、画像生成部２４で作製された生成画像を外部へ提供する画像提供部２５が接続されている。
【００２８】
図５に示すサーバ２０のうち、記憶部２２はサーバ２０が各種の処理を実行するために必要なプログラムやデータ等を記憶する機能をもち、記憶部２２には入力部３０から入力された時間帯とＩＤ情報を含む反応情報が記憶され、また上述ように撮影部１１で撮影された動画が記憶される。さらに記憶部２２には画像生成部２４において作製されたユーザＰの好みの動画または静止画の生成画像が格納される。
【００２９】
画像生成部２４は、上述のように撮影部１１で撮影され記憶部２２に格納された動画を用いて、入力部３０から入力される反応情報に基づいてユーザＰの好みの動画または静止画の生成画像を作製するものであり、画像生成部２４で作製された生成画像は記憶部２２へ送られて格納される。この場合、生成画像の動画は、撮影部１１で撮影された動画を切り取って作製されるため、撮影部１１で撮影された動画よりも時間的に短いショート動画となる。
【００３０】
次にこのような構成からなる本実施の形態の作用について説明する。  
まず会場５に設置された撮影部１１により、会場５内の歌謡ショーを撮影する。撮影部１１により得られた動画はサーバ２０に送られ、送受信部２１から記憶部２２に送られて記憶される。
【００３１】
次に歌謡ショーを観るユーザＰは、歌謡ショーを観ながら、自分が好ましいと思った場面にきたとき、その時間帯とＩＤ情報とを含む反応情報を入力部３０により入力し、この反応情報は入力部３０からサーバ２０へ送られる。
【００３２】
サーバ２０に送られた時間帯とＩＤとを含む反応情報は、送受信部２１を介して記憶部２２へ送られて記憶される。
【００３３】
この場合、入力部３０が座席３１のリモコン３１ａを含む場合、ユーザＰはリモコン３１ａの押圧ボタン３１ｂを押圧することにより、時間帯とＩＤ情報を含む反応情報をサーバ２０へ送ることができる（図２参照）。
【００３４】
また入力部３０がペンライト３２を含む場合、ユーザＰはペンライト３２の押圧ボタン３２ａを押圧することにより時間帯とＩＤ情報とを含む反応情報をサーバ２０へ送ることができる（図３参照）。
【００３５】
また入力部３０がスマートバンド３３を含む場合、スマートバンド３３によりユーザＰの心拍数あるいは脈拍の上昇時がユーザＰの好ましい場面に一致したとみなして、スマートバンド３３からこの時の時間帯とＩＤ情報とを含む反応情報をサーバ２０へ送ることができる（図４Ａ参照）。
【００３６】
あるいはスマートバンド３３が音声入力機能をもつ場合、スマートバンド３３により観客の歓声を入力し、歓声が大きくなった場合の時間帯とＩＤ情報を含む反応情報をサーバ２０へ送ってもよい。
【００３７】
あるいはユーザＰが端末機器１５を見ながら反応情報を送ることもできる（図４Ａ参照）。この場合、端末機器１５にサーバ２０から撮影部１１で撮影された動画が送られて、この動画が端末機器１５の表示領域１５ａに表示される。
【００３８】
ユーザＰは自分が好ましいと思った場面にきたとき、端末機器１５の入力領域１５ｂを操作する。この際、端末機器１５から、ユーザＰが好ましいと思った時間帯とＩＤ情報とを含む反応情報がサーバ２０へ送られる。
【００３９】
このようにユーザＰからサーバ２０側へユーザＰが好む場面の時間帯とＩＤ情報とを含む反応情報が入力されると、サーバ２０の画像生成部２４は、ユーザＰが好む場面の時間帯とＩＤ情報に基づいて、記憶部２２に記憶された画像データのうち動画データを切り取り、ユーザＰの好みの場面を特定（キャプチャ）し、動画または静止画の生成画像を作製する。この場合、作製された生成画像データはユーザＰのＩＤ情報と関連付けられたデータとなっている。
【００４０】
次に画像生成部２４において、生成画像を作製する手法について述べる。図１に示すように、画像生成部２４では記憶部２２に格納されている一連の動画フレーム１、１、１からなる動画データを呼び出し、ユーザＰから送られる時間帯の情報（例えば時刻ｔ１３）に対応する静止画を切り取る。このようにして時刻ｔ３における静止画からなる生成画像を得ることができる。
【００４１】
画像生成部２４において作製された動画または静止画を含む生成画像は、記憶部２２内に格納される。
【００４２】
このように、ユーザＰが希望する静止画を含む生成画像が作製された後、ユーザＰはプリンタ１３の前に立って、プリンタ１３を操作する（図７参照）。このとき、ユーザＰはプリンタ１３に自分の座席番号等のＩＤ情報を入力するか、チケットの認証コード（ＩＤコード）をプリンタ１３に読み取らせる。次にサーバ２０の記憶部２２に記憶された生成画像のデータが、画像提供部２５から送受信部２１を介してプリンタ１３へ送られ、プリンタ１３は画像提供部２５から提供された画像データを使って、写真等のプリント物を作製する。
【００４３】
あるいは、ユーザＰはプリンタ１３を用いることなく、自分の追加端末機器１６を用いてサーバ２０にアクセスして生成画像を入手することができる。例えば、図８に示すように、ユーザＰは追加端末機器１６を用いて自分の座席番号等のＩＤ情報を入力するか、またはチケットの認証コードを追加端末機器１６に読み取られる。
【００４４】
次にサーバ２０の記憶部２２に記憶された生成画像のデータが画像提供部２５から送受信部２１を介して追加端末機器１６に送られ、追加端末機器１６に「あなたの名場面」が表示されるとともに、生成画像の候補がサムネイルの１６ａの形態で表示される。サムネイル１６ａの下方には各生成画像の情報１６ｂ、例えば、時間（開始時間と終了時間）やタイトルが表示され、ユーザＰはチェックボタン１６ｃを操作することにより、生成画像の候補の中から所望の生成画像を選択し、次に購入ボタン１６ｄを押すことによりこの選択された生成画像を入手することができる。時間（開始時間と終了時間）としては、静止画であれば歌謡ショー開始時を始点としたその静止画の撮影時間、動画であれば歌謡ショー開始時を始点としたその動画の撮影開始時間と撮影終了時間が使用される。ここでタイトルとしては、予め主催者（画像の提供者）が設定したタイトル、あるいは画像データに対してシーン解析などを行って自動作成されたタイトルが使用される。
【００４５】
あるいはまた、サーバ２０の記憶部２２に記憶された生成画像のデータを、会場５において端末機器１５からアクセスすることなく、サーバ２０の画像提供部２５から端末機器１５に随時送ってもよい（図４Ｂ参照）。
【００４６】
この場合、ユーザＰは端末機器１５を用いて、入力領域１５ｂを操作して必要な反応情報をサーバ２０へ送る。サーバ２０は画像生成部２４で作製された生成画像を画像提供部２５から送受信部２１を介して端末機器１５に随時送ってもよい。このとき、ユーザＰは端末機器１５に送られた生成画像をあとから観て楽しむことができる。
【００４７】
以上のように本実施の形態によれば、撮影部１１で撮影された歌謡ショーの動画に基づいて、ユーザＰの好みに応じて所望の動画または静止画からなる生成画像を作製し、この生成画像をユーザＰに提供することができる。
【００４８】
なお、上記実施の形態において、リモコン３１ａから直接時間帯とＩＤ情報とを含む反応情報をサーバ２０へ送り（図２参照）、ペンライト３２から直接時間帯とＩＤ情報とを含む反応情報をサーバ２０へ送り（図３参照）、あるいはスマートバンド３３から直接時間帯とＩＤ情報とを含む反応情報部をサーバ２０へ送る例を示した（図４Ａ参照）。しかしながら、これに限らず、リモコン３１ａからユーザＰが所有する追加端末機器１６へ時間帯の情報を送り、この追加端末機器１６から時間帯とＩＤ情報を含む反応情報をサーバ２０へ送ってもよい（図２参照）。
【００４９】
同様にペンライト３２からユーザＰが所望する追加端末機器１６へ時間帯の情報を送り、この追加端末機器１６から時間帯とＩＤ情報を含む反応情報をサーバ２０へ送ってもよく（図３参照）、スマートバンド３３からユーザＰが所有する追加端末機器１６へ時間帯の情報を送り、この追加端末機器１６から時間帯とＩＤ情報を含む反応情報をサーバ２０へ送ってもよい（図４Ａ参照）。
【００５０】
あるいはまた、ユーザＰはプリンタ１３を操作し、サーバ２０の記憶部２２に記憶された生成画像のデータをプリンタ１３へ送ることにより、このプリンタ１３によって写真等のプリント物を作製した例を示したが（図７参照）、これに限らずユーザＰは予めサーバ２０から生成画像のデータを端末機器１５に入手しておき、生成画像データが格納された端末機器１５からプリンタ１３側へ信号を発することにより、プリンタ１３を作動させてプリント物を作製してもよい。
【００５１】
あるいはまた、会場にプリンタ１３を設置し、プリンタ１３により写真等のプリント物を作製する例を示したが、これに限らずサーバ２０と印刷物作製所９とを接続してもよい（図１参照）。すなわち、図１に示すようにユーザＰがサーバ２０へアクセスすることにより、サーバ２０から生成画像が印刷物作製所９に送られる。この場合、印刷物作製所９に設置された追加プリンタ１３ａにより物品に生成画像を印刷して、生成画像が印刷された印刷物が作製される。生成画像が印刷された印刷物としては、ポスター、ポスターカード、カレンダー、フォトブック、バッチ、マグカップ等が挙げられる。
【００５２】
印刷物作製所９で作製された印刷物は、その後ユーザＰあてに配送される。
【００５３】
あるいはまた、ユーザＰはペンライト３２を用い、ペンライト３２の押圧ボタン３２ａを押すことにより、サーバ２０へ時間帯とＩＤ情報を含む反応情報を送った例を示したが（図３参照）、ユーザＰがペンライト３２を大きく振ることによりペンライト３２に内蔵された加速度センサ（図示せず）がペンライト３２が大きく振られていることを検知してもよい。この場合では加速度センサが検知する時間帯の情報とＩＤ情報を含む反応情報がサーバ２０へ送られる。
【００５４】
さらにまたスマートバンド３３により、ユーザＰの心拍数、脈拍等を検知し、このときの時間帯の情報とＩＤ情報とを含む反応情報をスマートバンド３３からサーバ２０へ送った例を示したが（図４Ａ参照）、これに限らずスマートバンド３３は心拍数、脈拍以外の身体的特徴、例えば好ましい場面がきたときのユーザＰの心臓の鼓動、ユーザＰの汗等を検知し、スマートバンド３３から、時間帯とＩＤ情報とを含む反応情報をサーバ２０へ送ってよい。
【００５５】
さらにまた、上記実施の形態において、画像生成部２４は、ユーザＰが好む場合の時間帯とＩＤ情報とを含む反応情報に基づいて動画データを切り取って、動画または静止画の生成画像を作製する例を示した。この場合、画像生成部２４は反応情報の時間帯の情報をそのまま用いて生成画像を作製してもよく、反応情報の時間帯に対して、数秒間の補正時間だけ戻した時間帯を補正時間帯として、この補正時間帯に基づいて生成画像を作製してもよい。このように補正時間帯を設けることにより、ユーザＰが入力部３０から反応情報を入力するタイミングが多少遅れても、ユーザＰが好む動画または静止画の生成画像を作製することができる。
【００５６】
補正時間帯を生成するための補正時間は、過去の統計からユーザＰによる反応情報の入力の遅れ時間を求め、この遅れ時間に基づいて定める。
【００５７】
あるいはまた、会場５における歓声の長さにより、補正時間帯を生成するための補正時間を定めることができる。さらにまた、主催者（画像の提供者）が予め複数のシーン毎に区切りを入れておき、ユーザＰが入力部３０から入力した時間帯を含む区切られたシーンの動画を生成画像として提供しても良い。ただし、ユーザＰの好みをより強く反映するという観点からは、入力部３０から入力された時間帯近傍において区切位置を定める形態の方がより好ましい。この場合、（ｉ）１つの動画とユーザ毎の区切り位置情報を記憶部２２内に記憶しておくか、（ｉｉ）または１つの動画を各ユーザの好み毎に別ファイルにして記憶部２２内に記憶する。記憶部２２のメモリを圧迫しない観点からは（ｉ）の記憶方法の方がより好ましい。
【符号の説明】
【００５８】
１  動画フレーム
２  ステージ
４  歌手
５  会場
９  印刷物作製所
１０  画像提供システム
１１  撮影部
１３  プリンタ
１３ａ  追加プリンタ
１５  端末機器
１５ａ  表示領域
１５ｂ  入力領域
１６  追加端末機器
２０  サーバ
２１  送受信部
２２  記憶部
２４  画像生成部
２５  画像提供部
３０  入力部
【図１】
2020035406.tif 000003
【図２】
2020035406.tif 000004
【図３】
2020035406.tif 000005
【図４Ａ】
2020035406.tif 000006
【図４Ｂ】
2020035406.tif 000007
【図５】
2020035406.tif 000008
【図６】
2020035406.tif 000009
【図７】
2020035406.tif 000010
【図８】
2020035406.tif 000011